(57)【要約】      （修正有）【課題】蓄電池に満充電しなくても所定距離走行可能な電気エネルギーの供給により電気自動車を発進させ、以後は電気自動車の走行における非動力輪の車軸の回転により発電した電気エネルギーを蓄電池に補充し、発進時に充電した電気エネルギーで走行可能な距離よりも長く電気自動車を継続走行させることを可能とする電気自動車用発電装置を提供する。【解決手段】電気自動車用発電装置であって、電気自動車発進の際は、電源入力接続器具１０から入力され、蓄電池１１に蓄えられた電気エネルギーにより電動機を始動させ、電気自動車の走行中は、非駆動輪１５の回転による回転エネルギーから発電機１２により変換された電気エネルギーを前記蓄電池に蓄電するとともに、前記蓄電池から供給された電気エネルギーによる前記電動機の回転により駆動輪１４を回転させる。【選択図】図１
0003170663.tif 000002
【実用新案登録請求の範囲】
【請求項１】
蓄電池と、外部電源から電気エネルギーを前記蓄電池に入力する電源入力接続器具と、回転エネルギーを電気エネルギーに変換する発電機と、電気エネルギーを回転エネルギーに変換する電動機と、前記電動機の回転エネルギーにより回転する駆動輪と、前記駆動輪の回転に従動して回転する非駆動輪と、前記非駆動輪の回転による回転エネルギーを前記発電機に伝達する伝達機構とを有する電気自動車用発電装置であって、
電気自動車発進の際は、前記電源入力接続器具から入力され、前記蓄電池に蓄えられた電気エネルギーにより前記電動機を始動させ、電気自動車の走行中は、前記非駆動輪の回転による回転エネルギーから前記発電機により変換された電気エネルギーを前記蓄電池に蓄電するとともに、前記蓄電池から供給された電気エネルギーによる前記電動機の回転により前記駆動輪を回転させることを特徴とする電気自動車用発電装置。
【請求項２】
前記伝達機構は、前記非駆動輪を連結する車軸と
前記車軸に取り付けられる第１のプーリと、
前記発電機の回転軸に取り付けられる第２のプーリと、
前記第1のプーリの回転を前記第２のプーリに伝達するベルトとを有することを特徴とする請求項１に記載の電気自動車用発電装置。
【請求項３】
前記第１のプーリの外径は前記第２のプーリの外径よりも大きいことを特徴とする請求項２に記載の電気自動車用発電装置。
【考案の詳細な説明】
【技術分野】
【０００１】
本考案は、電気自動車用発電装置に関する。
【背景技術】
【０００２】
化石燃料の枯渇が危惧されている昨今、限られたエネルギーで大きな運動量（仕事量）を得るという課題に対して、自動車業界においては、種々様々な工夫がなされている。
【０００３】
その代表的なものが、いわゆるハイブリッドカーであり、またリチウムイオン電池などの蓄電池を搭載した電気自動車などである。
【０００４】
また、エンジンを動力とせずに充電のためだけに使用し、一個あるいは複数の発電機でバッテリーに充電して電気モータを動力とする電気自動車がある。
【先行技術文献】
【特許文献】
【０００５】
【特許文献１】特開２０１０−３６８７６号公報
【考案の概要】
【考案が解決しようとする課題】
【０００６】
しかし、ハイブリッドカーは、発電装置として、エンジンの回転により得られた回転エネルギーを発電機で電気エネルギーに変換し、これを蓄電したものを補助的なエネルギーとして利用しており、ガソリンを消費することに変わりない。また、上記特許文献１に係る電気自動車にあっては、エンジンを使用しており、ガソリンを消費することに変わりない。
【０００７】
また、電気自動車に至っては、蓄電池容量に相当するだけの（所定距離走行するために必要な電気エネルギーに相当するだけの）事前の十分な充電（満充電）が必要であり、かつ、所定距離走行後に蓄電池容量が下がってきた場合には、再び満充電を必要とする。しかも、満充電に至るまでは一定の時間を要し、蓄電池に充電するための充電器を備えたサービスステーションの数も十分と言える状況ではない。
【０００８】
本考案は、上記に鑑みてなされたもので、その目的としては、蓄電池に満充電しなくても所定距離走行可能な電気エネルギーの供給により電気自動車を発進させ、以後は電気自動車の走行における非動力輪の車軸の回転により発電した電気エネルギーを蓄電池に補充し、発進時に充電した電気エネルギーで走行可能な距離よりも長く電気自動車を継続走行させることにある。
【課題を解決するための手段】
【０００９】
上記課題を解決するため、本考案の電気自動車用発電装置は、蓄電池と、外部電源から電気エネルギーを前記蓄電池に入力する電源入力接続器具と、回転エネルギーを電気エネルギーに変換する発電機と、電気エネルギーを回転エネルギーに変換する電動機と、前記電動機の回転エネルギーにより回転する駆動輪と、前記駆動輪の回転に従動して回転する非駆動輪と、前記非駆動輪の回転による回転エネルギーを前記発電機に伝達する伝達機構とを有する電気自動車用発電装置であって、
電気自動車発進の際は、前記電源入力接続器具から入力され、前記蓄電池に蓄えられた電気エネルギーにより前記電動機を始動させ、電気自動車の走行中は、前記非駆動輪の回転による回転エネルギーから前記発電機により変換された電気エネルギーを前記蓄電池に蓄電するとともに、前記蓄電池から供給された電気エネルギーによる前記電動機の回転により前記駆動輪を回転させることを特徴とする。
【考案の効果】
【００１０】
本考案によれば、蓄電池に満たない電気エネルギーの供給により電気自動車を発進させ、以後は電気自動車の走行による非動力輪の車軸の回転によって発電した電気エネルギーを蓄電池に補充し、発進時に充電した電気エネルギーで走行可能な距離よりも長く電気自動車を継続走行させることができる。
【図面の簡単な説明】
【００１１】
【図１】本考案の一実施形態の電気自動車用発電装置を示す概略図である。
【図２】本考案の一実施形態の駆動機構を示す平面図である。
【図３】本考案の一実施形態の駆動機構を示す斜視図である。
【考案を実施するための形態】
【００１２】
以下、本考案の一実施形態の電気自動車用発電装置について図１を用いて説明する。図１は、本考案の実施形態の電気自動車１に搭載される発電装置の構成を示す概略図である。本実施形態の発電装置は、発電機に与える回転エネルギーを非駆動輪に求めることを特徴とするものである。
【００１３】
本考案の実施形態の電気自動車用発電装置は、外部電源から供給する電気エネルギーを蓄電池１１に給電するための電源入力接続器具１０、電気エネルギーを蓄電する蓄電池１１、発電機１２、電動機１３、駆動輪１４、非駆動輪１５、非駆動輪１５の回転エネルギーを発電機１２に伝達する伝達機構１６で構成される。
【００１４】
まず、電気自動車の発進の際は、上述の電源入力接続器具１０（例えば、電気プラグ等）を外部電源（例えば、家庭用ＡＣ１００Ｖ電源）と接続し、発進およびその後の所定の距離を走行可能とするだけの電気エネルギーを蓄電池１１に充電する。なお、電源入力接続器具及び外部電源について、上記に限定されるものではない。
【００１５】
上述の「所定の距離」とは、満充電に満たない電気エネルギーにより走行できる一定距離をいい（蓄電池の容量にもよるが、例えば１回の充電で２００ｋｍなど）、非駆動輪１５の回転エネルギーを伝達機構１６により発電機１２に伝達し、該発電機により発電し、蓄電池１１に蓄電した電気エネルギーの補充による追加走行距離は含まない。
【００１６】
また、蓄電池１１は、十分な充電容量のもので、例えばニッケル水素やリチウムイオン等の二次電池であることが望ましい。ただし、蓄電容量の増加に伴い車重も増加するため、車重により却って必要以上の電気エネルギーを消費するなどの影響を受けない程度の高効率な蓄電池を選定することが望ましい。
【００１７】
本実施形態の電気自動車用発電装置は、発進の際、蓄電池１１に充電した電気エネルギーを電動機１３によって回転エネルギーに変換する。その後、該回転エネルギーを図示しない駆動機構によって駆動輪１４の車軸１７に伝達し、駆動輪１４を回転させ、所定の距離、電気自動車を走行させる。ここで、本実施形態の電動機には、例えば、小型で高効率の永久磁石形同期モータ又は誘導モータの何れかを採用するが、これに限定されるものではない。
【００１８】
なお、蓄電池１１から電気エネルギーを電動機１３に供給する際、いわゆるインバータ等の図示しない制御装置により電気エネルギーを調整して電動機１３の出力を制御する構成をとってもよい。
【００１９】
上述した一定走行距離、電気自動車が走行すると、その間、非駆動輪１５の回転エネルギーが伝達機構１６により発電機１２に伝達され、該発電機１２により発電された電気エネルギーが蓄電池１１に補充充電される。なお、本実施形態の発電機には、例えば、オルタネータに代表される交流発電機を採用するが、これに限定されるものではない。
【００２０】
蓄電池１１に充電された電気エネルギーは、上述のとおり電動機１３により回転エネルギーに変換され、該回転エネルギーを図示しない駆動機構により駆動輪用車軸１７に伝達される。そして、駆動輪用車軸１７の回転により駆動輪１４が回転し、電気自動車は走行することとなる。
【００２１】
上記構成により、満充電に満たない電気エネルギーの供給により発進させ、以後は走行による非動力輪の回転によって発電した電気エネルギーを蓄電池に補充し、発進前に充電した電気エネルギーで走行可能な距離よりも長く電気自動車を継続走行させることが可能となる。
【００２２】
なお、本実施形態においては、駆動輪１４を前輪、非駆動輪１５を後輪とするが、これに限られず、例えば、駆動輪１４が後輪、非駆動輪１５が前輪とした構成であってもよい。すなわち、本実施形態の電気自動車の駆動方式が、前輪駆動、後輪駆動その他の駆動方式のいずれであってもよい。
【００２３】
次に、本実施形態の電気自動車用発電装置の伝達機構１６について、図２および図３を用いて詳述する。
【００２４】
本実施形態の伝達機構１６は、非駆動輪１５の回転と連動して回転する非駆動輪用車軸１８と、非駆動輪用車軸１８と連結し、該非駆動輪用車軸１８と連動して回転する非駆動輪プーリ２０（第１のプーリ）、非駆動輪プーリ２０の回転を発電機側に伝達するベルト２１、およびその回転を受けて発電機１２へ伝達する発電機プーリ２２（第２のプーリ）により構成される。
【００２５】
電気自動車の走行により非駆動輪１５が回転するとともに、非駆動輪用車軸１８も回転し、非駆動輪プーリも従動回転する。そして、非駆動プーリ２０と発電機プーリ２２に懸架したベルト２１により非駆動輪プーリの回転が発電機プーリ２２に伝達される。
【００２６】
発電機プーリ２２の回転を伝達された発電機１２が、回転エネルギーを電気エネルギーに変換する。
【００２７】
ここで、本実施形態において、発電機プーリ２２の外径は、非駆動輪プーリ２０の外径より小さいことが必要である。すなわち、両プーリの回転比率を変えてやることにより、発電機側に高回転を与えることが必要である。発電機が発電するのに必要な回転数を発電機に与えるためである。
【００２８】
具体的には、電気自動車の走行時の車軸の回転数は、時速４０ｋｍの車速で毎分約５００回転程度と低いため、本実施形態においては、発電機プーリ２２と非駆動輪プーリ２０の直径比率を、例えば、１対１．５から１対４程度で設定する必要がある。
【００２９】
これにより、発電機１２が十分な充電発電状態になる毎分約１０００回転以上を、時速２０ｋｍから時速６０ｋｍの速度で保持することができる。
【００３０】
ただし、車軸の回転数は車速の影響を受けるため、渋滞時や発進直後又は停止直前などは極めて低回転となる。そのため、発電機が十分な発電を行うための回転数が得られない。よって、蓄電池への十分な充電電圧を確保することが困難となる。
【００３１】
そのため、本実施形態の発電装置は、例えばチョッパ制御に代表される制御方法を採用し、蓄電池への十分な充電電圧を確保できる昇圧手段を備えていることが望ましい。この場合、車軸の回転数や、車軸による発電電圧を検出する手段を備えていることが望ましい。
【００３２】
なお、発電機１２は、さらに複数のギアを備え、該ギア比を調節することにより、発電機の回転を調節し、発電電圧等を調節する機構を備えるものであってもよい。
【００３３】
また、本実施形態の伝達機構は一例であり、このほかに例えばドライブシャフトやデファレンシャルギア等を利用した伝達機構であってもよい。
【００３４】
さらに、本実施形態の発電機及び電動機に発生する鉄損、銅損及びコギング、電気自動車走行中にその車体に受ける空気抵抗、駆動輪及び非駆動輪の転がり抵抗並びに路面との摩擦抵抗等は、限りなく少ないものであることが望ましい。
【００３５】
上記構成により、非駆動輪の回転により電気自動車が発進時に充電した電気エネルギーよりも長く継続走行し得る程度の電気エネルギーを発電することが可能となる。
【００３６】
なお、上述する各実施の形態は、本考案の好適な実施の形態であり、本考案の要旨を逸脱しない範囲内において種々変更実施が可能である。
【符号の説明】
【００３７】
１    電気自動車
１０    電源入力接続器具
１１    蓄電池
１２    発電機
１３    電動機
１４    駆動輪
１５    非駆動輪
１６    伝達機構
１７    駆動輪用車軸
１８    非駆動輪用車軸
２０    非駆動輪プーリ
２１    ベルト
２２    発電機プーリ
【図１】
0003170663.tif 000003
【図２】
0003170663.tif 000004
【図３】
0003170663.tif 000005